【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  シリンダーヘッドによって一端で閉封されたシリンダー内に燃焼室を有する内燃機関の吸気／排気弁システムであって、第１ポートを介して燃焼室に開口するシリンダーヘッド内のキャビティと；第１弁と第２弁とを有し、その一つが燃焼室へ流れる吸気を制御するための開放状態と閉封状態間を移動可能な吸気弁であり、他方が燃焼室からの排気ガスの流れを制御するための開放状態と閉封状態間を移動可能な排気弁である弁アセンブリとを具備し；第１弁が第１ポートとシーリング係合可能なバルブヘッドとスカート構造とを備えており；スカート構造がキャビティ内の壁構造と摺動し、かつ、シーリング係合し、スカート構造と壁構造が、キャビティを内部キャビティ部とこの内部キャビティ部を取り巻く外部キャビティ部に分割するように共働し；第１流路が外部キャビティ部と連絡し；壁構造が、内部キャビティ部の境界を規定する内面と外部キャビティ部の境界を規定する外面の形態をなし；第２流路が内部キャビティ部と連絡し；第２弁が燃焼室と内部キャビティ部間の流体流れを制御するための第１弁内の第２ポートを開放、閉封するために第１弁に配置されている弁システムにおいて、スカート構造が第１軸長を有し、管状状壁構造が第２軸長を有し、第１軸長が第２軸長よりも短い吸気／排気弁システム。
【請求項２】  スカート構造がシリンダー状である請求項１に記載の吸気／排気弁システム。
【請求項３】  第１弁がスカート構造に連結された弁ステムを有している請求項１または２に記載の吸気／排気弁システム。
【請求項４】  弁ステムが一つまたはそれ以上の連結部材によってその両者間に延長してスカート構造に連結されている請求項３に記載の吸気／排気弁システム。
【請求項５】  各連結部材が流体流れの方向に薄い形態をなしている請求項４に記載の吸気／排気弁システム。
【請求項６】  弁ステムがスカート構造の領域の外部に配置されている請求項３、４または５に記載の吸気／排気弁システム。
【請求項７】  第１弁ステムが中空で、軸方向経路を提供し、ここに第２弁のステムが受承されている請求項３から６のいずれかに記載の吸気／排気弁システム。
【請求項８】  第２弁のステムが、中空第１弁ステム内に案内されるようにして支持され、これに対して往復運動する請求項７に記載の吸気／排気弁システム。
【請求項９】  第２弁のステムが、第１弁ステムを越えて延長している請求項８に記載の吸気／排気弁システム。
【請求項１０】  第１弁および第２弁が、時間シーケンスでそれぞれの開放状態と閉封状態間で弁を移動するように作動可能な手段に連結されている先行請求項のいずれかに記載の吸気／排気弁システム。
【請求項１１】  第１弁が吸気弁であり、第２弁が排気弁である先行請求項のいずれかに記載の吸気／排気弁システム。
【請求項１２】  壁構造は、スカート構造が、摺動し、シーリング係合するシリンダー状面の形態をなす先行請求項のいずれかに記載の吸気／排気弁システム。
【請求項１３】  壁構造がキャビティ内に着脱可能に取り付けられている先行請求項のいずれかに記載の吸気／排気弁システム。
【請求項１４】  壁構造が取付フランジを有する環状本体を含んでいる請求項１３に記載の吸気／排気弁システム。
【請求項１５】  取付フランジが環状本体に近接するとともに、その一端から内側に隔置され前記一端において本体上に配置位置を提供し、この配置位置がキャビティ内の配置凹所に受承されている請求項１４に記載の吸気／排気弁システム。
【請求項１６】  シリンダーヘッドによって一端で閉封されたシリンダー内に燃焼室を有する内燃機関の吸気／排気弁システムであって、吸気ポートを介して燃焼室に開口するシリンダーヘッド内のキャビティと；燃焼室への流体の流れの吸気を制御するための開放状態と閉封状態間を移動可能な吸気弁と、燃焼室からの排気ガスを制御するための開放状態と閉封状態間を移動可能な排気弁とを有する弁アセンブリとを具備し；吸気弁が吸気ポートと摺動係合可能なバルブヘッドとスカート構造とを備えており；スカート構造が壁構造と摺動し、かつ、シール係合し、スカート構造と壁構造が共働してキャビティを内部キャビティ部とこの内部キャビティ部を取り巻く外部キャビティ部に分割し；壁構造が、内部キャビティ部の境界を規定する内面と外部キャビティ部の境界を規定する外面の形態をなし；吸気流路が吸気流体をそこに分配するために外部キャビティ部と連絡し；排気流路が内部キャビティ部と連絡し；排気弁が燃焼室からと内部キャビティ部への流体流れを制御するための吸気弁内の排気ポートを開放、閉封するために吸気弁に配置されている弁システムにおいて、スカート構造が第１軸長を有し、壁構造が第２軸長を有し、第１軸長が第２軸長よりも短い吸気／排気弁システム。
【請求項１７】  シリンダーヘッドによって一端で閉封されたシリンダー内に燃焼室を有する内燃機関の吸気／排気弁システムであって、第１ポートを介して燃焼室に開口するシリンダーヘッド内のキャビティと；第１弁と第２弁とを有し、その一つが燃焼室への流体の流れの吸気を制御するための開放状態と閉封状態間を移動可能な吸気弁であり、他方が燃焼室からの排気ガスを制御するための開放状態と閉封状態間を移動可能な排気弁である弁アセンブリとを具備する弁システムにおいて；第１弁が第１ポートと摺動係合可能なバルブヘッドとスカート構造とを備えており；壁構造がキャビティ内に着脱可能に取り付けられており；スカート構造がキャビティ内の壁構造と摺動し、かつ、シール係合し、これによってスカート構造と壁構造が共働してキャビティを内部キャビティ部とこの内部キャビティ部を取り巻く外部キャビティ部に分割し；第１流路が外部キャビティ部と連絡し；壁構造が、内部キャビティ部の境界を規定する内面と外部キャビティ部の境界を規定する外面の形態をなし；第２流路が内部キャビティ部と連絡し；第２弁が燃焼室と内部キャビティ部間の流体流れを制御するための第１弁内の第２ポートを開放、閉封するために第１弁に配置されている吸気／排気弁システム。
【請求項１８】  管状壁構造が、シリンダー状である請求項１７に記載の吸気／排気弁システム。
【請求項１９】  管状壁構造が、キャビティ内に着脱可能に取り付けられている請求項１７または１８に記載の吸気／排気弁システム。
【請求項２０】  管状壁構造が、取付フランジを有する環状本体を含んでいる請求項１９に記載の吸気／排気弁システム。
【請求項２１】  取付フランジが、環状本体に隣接するとともに、その一端から内側に隔置され前記一端において本体上に配置位置を提供し、この配置位置がキャビティ内の配置凹所に受承されている請求項２０に記載の吸気／排気弁システム。
【請求項２２】  シリンダーヘッドによって一端で閉封されたシリンダー内に燃焼室を有する内燃機関の吸気／排気弁システムであって、第１ポートを介して燃焼室に開口するシリンダーヘッド内のキャビティと；第１弁と第２弁とを有し、その一つが燃焼室への流体の流れの吸気を制御するための開放状態と閉封状態間を移動可能な吸気弁であり、他方が燃焼室からの排気ガスを制御するための開放状態と閉封状態間を移動可能な排気弁である弁アセンブリとを具備する弁システムにおいて；第１弁が第１ポートと摺動係合可能なバルブヘッドとスカート構造とを備えており；スカート構造がキャビティ内の壁構造と摺動し、かつ、シール係合し、これによってスカート構造と壁構造が共働してキャビティを内部キャビティ部とこの内部キャビティ部を取り巻く外部キャビティ部に分割し；第１流路が外部キャビティ部と連絡し；第２流路が内部キャビティ部と連絡し
；壁構造が、内部キャビティ部の境界を規定する内面と外部キャビティ部の境界を規定する外面の形態をなし；第２弁が燃焼室と内部キャビティ部間の流体流れを制御するための第１弁内の第２ポートを開放、閉封するために第１弁に配置されており；第１弁がスカート構造に連結された弁ステムを有し、この弁ステムがスカート構造の領域から完全に外部に配置されている吸気／排気弁システム。
【請求項２３】  先行請求項のいずれかによる吸気／排気弁システムを収容するシリンダーヘッドであって、キャビティを有する本体とこの本体内に着脱可能に受承されたインサートと、このインサートに取り付けられた第１弁と第２弁とからなることを特徴とするシリンダーヘッド。